(57)【要約】【課題】  住宅環境や社会情勢の変化に対応して故人の遺品を収納し故人を偲ぶことができる遺品収納ケースを提供することである。【解決手段】  遺品を配列するための底面板１２に左右側面板１３ａ、１３ｂ及び背面板１４を設け、さらに上面板１５及び前面板１６は透明部材にて収納ケース本体を形成し、その収納ケース本体の前面板１６には位牌プレートを装着するための位牌プレート設置部１７を設け、また、収納ケース本体の背面板１４近傍の上面板１５にコンパクト仏壇を搭載するための仏壇設置部１８を設ける。これにより、収納ケース本体の底面板１４に配列した遺品を見ることができ、何時でも故人を偲ぶことができる。【選択図】  図１
2005080797.tif 000002
【特許請求の範囲】
【請求項１】
遺品を配列するための底面板に左右側面板及び背面板を設け少なくとも上面板及び前面板は透明部材で形成された収納ケース本体と、前記収納ケース本体の前面板に設けられ位牌プレートを装着するための位牌プレート設置部と、前記収納ケース本体の背面板近傍の上面板に設けられコンパクト仏壇を搭載するための仏壇設置部とを備えたことを特徴とする遺品収納ケース。
【請求項２】
遺品を配列するための底面板に左右側面板及び背面板を設け少なくとも上面板及び前面板は透明部材で形成された収納ケース本体と、前記収納ケース本体の前面板に設けられ位牌プレートを装着するための位牌プレート設置部とを備えたことを特徴とする遺品収納ケース。
【請求項３】
前記収納ケース本体の左右側面板に形成され前記収納ケース本体の前面板を着脱可能に上下方向に案内するためのスライド機構部を備えたことを特徴とする請求項１又は請求項２記載の遺品収納ケース。
【請求項４】
収納ケース本体の前面板は上下に２分割され、前記位牌プレート設置部は２分割された前面板のいずれかに取り付けられることを特徴とする請求項３記載の遺品収納ケース。
【請求項５】
前記収納ケース本体の上面板は、背面側方向が高くなるように階段状に形成され、前記収納ケース本体の最上段から最下段のいずれかの前面板に位牌プレートを装着するための位牌プレート設置部を設けたことを特徴とする請求項１乃至請求項４のいずれか１項記載の遺品収納ケース。
【請求項６】
前記収納ケース本体の背面板近傍の上面板両奥隅に仏具等を収納するための多段棚を設けたことを特徴とする請求項１乃至請求項５のいずれか１項記載の遺品収納ケース。
【請求項７】
収納ケースの一部を棒状部材で骨格のみ形成し少なくとも前面部及び上面部を開放すると共に底面部には遺品を配列するための底面板を備えた収納ケース本体と、前記収納ケース本体の前面部及び上面部を区分する棒状部材に取り付けられ位牌プレートが前記収納ケース本体の前面部に位置するように前記位牌プレートを装着するための位牌プレート設置部と、前記収納ケース本体の上面部の奥端にコンパクト仏壇が位置するように前記コンパクト仏壇を搭載するための仏壇設置部とを備えたことを特徴とする遺品収納ケース。
【請求項８】
収納ケースの一部を棒状部材で骨格のみ形成し少なくとも前面部及び上面部を開放すると共に底面部には遺品を配列するための底面板を備えた収納ケース本体と、前記収納ケース本体の前面部及び上面部を区分する棒状部材に取り付けられ位牌プレートが前記収納ケース本体の前面部に位置するように前記位牌プレートを装着するための位牌プレート設置部とを備えたことを特徴とする遺品収納ケース。
【請求項９】
前記収納ケース本体の上面部は、背面側方向が高くなるように階段状に形成され、階段状部分を区分する棒状部材を設け、前記収納ケース本体の最上段から最下段のいずれかの階段状部分を区分する棒状部材に取り付けられ位牌プレートが前記収納ケース本体の前面部に位置するように前記位牌プレートを装着するための位牌プレート設置部とを備えたことを特徴とする請求項７又は請求項８記載の遺品収納ケース。
【請求項１０】
前記収納ケース本体の背面板近傍の上面部両奥隅に仏具を収納するための多段棚を設けたことを特徴とする請求項７乃至請求項９のいずれか１項記載の遺品収納ケース。
【請求項１１】
前記収納ケース本体の底面板に搭載され遺品を整列して配列させるための配列補助部材を備えたことを特徴とする請求項１乃至請求項１０のいずれか１項記載の遺品収納ケース。
【請求項１２】
前記収納ケース本体の底面板の下部に、前後に出し入れ可能なスライド板を設けたことを特徴とする請求項１乃至請求項１１のいずれか１項記載の遺品収納ケース。
【請求項１３】
前記収納ケース本体の底面板の下部に、前後に出し入れ可能な引き出しを設けたことを特徴とする請求項１乃至請求項１２のいずれか１項記載の遺品収納ケース。
【発明の詳細な説明】
【技術分野】
【０００１】
本発明は、故人の遺品を収納して故人を偲ぶことができる遺品収納ケースに関する。
【背景技術】
【０００２】
一般に、故人に対する日々の礼拝や法要は故人の遺品や写真を拝むことによって行われている。我国の一般的な慣習では、故人の位牌を受け継いで守るのは、その家の家長や長男等の家督を継ぐ人であり、家を出た次男以下の者や女性のように他家に嫁いだ者は、故人を偲んで日々礼拝をしたくても対象物が身近にないことになる。
【０００３】
そこで、仏壇を持たない人でも故人の遺品や遺骨を身近におくことができ、故人に対する日々の礼拝や法要を自宅で行うことができるようにしたものがある（例えば、特開２００−５４４６２号公報参照）。
【０００４】
また、墓地不足による墓地や霊園等の高騰により墓地が入手できにくい状況にあることから、遺骨を遺品収納台や墓誌台内部収納室に分骨し、仏壇そのものを墓の代わりにできるようにしたものがある（例えば特開平９−２８５５０号公報参照）。
【特許文献１】特開２０００−５４４６２号公報（図１）
【特許文献２】特開平９−２８５５０号公報（図２）
【発明の開示】
【発明が解決しようとする課題】
【０００５】
ところが、近年においては、核家族化が益々進むと共に少子化傾向であり、我国古来からの長男が家や仏壇を守り継続していくことが難しくなっており、また、都市部では住宅事情からも大きな仏壇を用意し伝統的な法要を行うことができる状況ではなくなってきている。
【０００６】
そこで、現代では団地やマンションに適合させたコンパクトな仏壇が用意され、また、位牌もプレート式のものが出始め、宗旨や宗派にとらわれないモダンな位牌プレートを選択できるようにしたものが開発されている。故人に対する礼拝や法要は、形式や慣習にとらわれず故人を偲ぶ心が大切であって、住宅環境や社会情勢の変化があっても、その心は大切にしなければならない。
【０００７】
本発明の目的は、住宅環境や社会情勢の変化に対応して故人の遺品を収納し故人を偲ぶことができる遺品収納ケースを提供することである。
【課題を解決するための手段】
【０００８】
請求項１の発明に係わる遺品収納ケースは、遺品を配列するための底面板に左右側面板及び背面板を設け少なくとも上面板及び前面板は透明部材で形成された収納ケース本体と、前記収納ケース本体の前面板に設けられ位牌プレートを装着するための位牌プレート設置部と、前記収納ケース本体の背面板近傍の上面板に設けられコンパクト仏壇を搭載するための仏壇設置部とを備えたことを特徴とする。
【０００９】
請求項２の発明に係わる遺品収納ケースは、遺品を配列するための底面板に左右側面板及び背面板を設け少なくとも上面板及び前面板は透明部材で形成された収納ケース本体と、前記収納ケース本体の前面板に設けられ位牌プレートを装着するための位牌プレート設置部とを備えたことを特徴とする。
【００１０】
請求項３の発明に係わる遺品収納ケースは、請求項１又は請求項２の発明において、前記収納ケース本体の左右側面板に形成され前記収納ケース本体の前面板を着脱可能に上下方向に案内するためのスライド機構部を備えたことを特徴とする。
【００１１】
請求項４の発明に係わる遺品収納ケースは、請求項３の発明において、収納ケース本体の前面板は上下に２分割され、前記位牌プレート設置部は２分割された前面板のいずれかに取り付けられることを特徴とする。
【００１２】
請求項５の発明に係わる遺品収納ケースは、請求項１乃至請求項４のいずれか１項の発明において、前記収納ケース本体の上面板は、背面側方向が高くなるように階段状に形成され、前記収納ケース本体の最上段から最下段のいずれかの前面板に位牌プレートを装着するための位牌プレート設置部を設けたことを特徴とする。
【００１３】
請求項６の発明に係わる遺品収納ケースは、請求項１乃至請求項５のいずれか１項の発明において、前記収納ケース本体の背面板近傍の上面板両奥隅に仏具等を収納するための多段棚を設けたことを特徴とする。
【００１４】
請求項７の発明に係わる遺品収納ケースは、収納ケースの一部を棒状部材で骨格のみ形成し少なくとも前面部及び上面部を開放すると共に底面部には遺品を配列するための底面板を備えた収納ケース本体と、前記収納ケース本体の前面部及び上面部を区分する棒状部材に取り付けられ位牌プレートが前記収納ケース本体の前面部に位置するように前記位牌プレートを装着するための位牌プレート設置部と、前記収納ケース本体の上面部の奥端にコンパクト仏壇が位置するように前記コンパクト仏壇を搭載するための仏壇設置部とを備えたことを特徴とする。
【００１５】
請求項８の発明に係わる遺品収納ケースは、収納ケースの一部を棒状部材で骨格のみ形成し少なくとも前面部及び上面部を開放すると共に底面部には遺品を配列するための底面板を備えた収納ケース本体と、前記収納ケース本体の前面部及び上面部を区分する棒状部材に取り付けられ位牌プレートが前記収納ケース本体の前面部に位置するように前記位牌プレートを装着するための位牌プレート設置部とを備えたことを特徴とする。
【００１６】
請求項９の発明に係わる遺品収納ケースは、請求項７又は請求項８の発明において、前記収納ケース本体の上面部は、背面側方向が高くなるように階段状に形成され、階段状部分を区分する境界部の左右側面板間に棒状部材を設け、前記収納ケース本体の最上段から最下段のいずれかの階段状部分を区分する境界部の棒状部材に取り付けられ位牌プレートが前記収納ケース本体の前面部に位置するように前記位牌プレートを装着するための位牌プレート設置部とを備えたことを特徴とする。
【００１７】
請求項１０の発明に係わる遺品収納ケースは、請求項７乃至請求項９のいずれか１項の発明において、前記収納ケース本体の背面板近傍の上面部両奥隅に仏具を収納するための多段棚を設けたことを特徴とする。
【００１８】
請求項１１の発明に係わる遺品収納ケースは、請求項１乃至請求項１０のいずれか１項の発明において、前記収納ケース本体の底面板に搭載され遺品を整列して配列させるための配列補助部材を備えたことを特徴とする。
【００１９】
請求項１２の発明に係わる遺品収納ケースは、請求項１乃至請求項１１のいずれか１項の発明において、前記収納ケース本体の底面板の下部に、前後に出し入れ可能なスライド板を設けたことを特徴とする。
【００２０】
請求項１３の発明に係わる遺品収納ケースは、請求項１乃至請求項１２のいずれか１項の発明において、前記収納ケース本体の底面板の下部に、前後に出し入れ可能な引き出しを設けたことを特徴とする。
【発明の効果】
【００２１】
本発明によれば、収納ケース本体の上面部及び前面部が透明部材又は棒状部材で形成されているので、収納ケース本体の底面板に配列した遺品を見ることができ、何時でも故人を偲ぶことができる。また、収納ケース本体の上面部にコンパクト仏壇を搭載することができ、収納ケース本体の前面部には位牌プレートを装着できるので、仏壇としても使用できる。従って、団地やマンション等の限られたスペース内で他の家具との調和を保ちつつ、故人の居場所を確保し、遺族と共に生活を共有していくことができる。
【発明を実施するための最良の形態】
【００２２】
住宅環境や社会情勢の変化に対応して故人を偲ぶことができるという目的を、収納ケース本体の底面板に故人の遺品を配列して前面及び側面から故人の遺品を見ることができるようにした遺品収納ケースを提供することで実現した。
【実施例１】
【００２３】
図１は本発明の実施例１に係わる遺品収納ケースの斜視図である。遺品収納ケース１１は箱体に形成され、底面板１２に故人の遺品が配列される。底面板１２の左右両辺には左右側面板１３ａ、１３ｂが垂直に立設して取り付けられ、背面側には背面板１４が垂直に立設して取り付けられている。また、底面板１２に対面して上面板１５が着脱自在に取り付けられ、背面板１４に対面して前面板１６が着脱自在に取り付けられている。これら底面板１２、左右側面板１３ａ、１３ｂ、背面板１４、上面板１５、前面板１６にて収納ケース本体を形成し、少なくとも上面板１５及び前面板１６は透明部材で形成されている。
【００２４】
前面板１６には、位牌プレートを装着するための位牌プレート設置部１７が設けられている。図１では、位牌プレート設置部１７として、位牌プレートを掛けるための掛け具１７ａ及び位牌プレートを搭載するための置き具１７ｂの双方を設けた場合を示している。また、背面板１４の近傍の上面板１５には、コンパクト仏壇を搭載するための仏壇設置部１８が設けられており、図１では、仏壇設置部１８として、置き式のコンパクト仏壇を搭載し左右方向を係止するための左右係止具１８ａ及び前方向を係止するための前方係止具１８ｂを設けた場合を示している。
【００２５】
底面板１２には、上面板１５及び前面板１６を外した状態で遺品が配列され、その後に上面板１５及び前面板を装着する。そして、位牌プレート設置部１７に位牌プレートを装着し、仏壇設置部１８に置き式のコンパクト仏壇を搭載して設置する。少なくとも上面板１５及び前面板１６は透明部材で形成されていることから、仏壇に正対したとき底面板１２に配列された遺品は透き通って外部から見えるので、故人を偲ぶことができる。また、上面板１５には仏具やお供え等を搭載することができる。
【００２６】
図２は、本発明の実施例１の遺品収納ケース１１に装着される位牌プレート１９の一例を示す斜視図である。図２では掛け式の位牌プレート１９を示している。位牌プレート１９はプレート部２０と鎖部２１とからなり、プレート２０には、例えば故人の氏名あるいは戒名や生没年が記載され、鎖部２１を位牌プレート設置部１７である掛け具１７ａに掛けて遺品収納ケース１１に装着する。このように、位牌プレート１９は宗旨や宗派にとらわれないモダンな位牌プレートとしている。なお、置き式の位牌プレートの場合には鎖部２１は必ずしも必要ではなく、位牌プレート設置部１７である置き具１７ｂに搭載して遺品収納ケース１１に装着することになる。このように、位牌プレート１９は掛け式や置き式の２通りから選択できるので、従来の位牌も設置することができる。
【００２７】
図３は、本発明の実施例１の遺品収納ケース１１に適用されるコンパクト仏壇２２の一例を示す斜視図であり、図３（ａ）は置き式のコンパクト仏壇２２ａの斜視図、図３（ｂ）は掛け式のコンパクト仏壇２２ｂの斜視図である。
【００２８】
図３（ａ）において、置き式のコンパクト仏壇２２ａは、故人の写真を飾る写真立て部２３と、生花を生けた花瓶等を搭載するための平板部２４と、写真立て部２３及び平板部２４を保持する台座部２５とから構成される。この置き式のコンパクト仏壇２２ａを本発明の実施例１の遺品収納ケース１１に適用するにあたっては、台座部２５を仏壇設置部１８である左右係止具１８ａ及び前方係止具１８ｂで囲われた上面板１５の領域に搭載して置き式コンパクト仏壇２２ａを設置する。
【００２９】
一方、掛け式のコンパクト仏壇２２ｂは、置き式のコンパクト仏壇２２ａと同様に、故人の写真を飾る写真立て部２３と、生花を生けた花瓶等を搭載するための平板部２４と、写真立て部２３及び平板部２４を保持する台座部２５とから構成されるが、写真立て部２３、平板部２４、台座部２５の背面は、同一平面となるように構成され、これより壁面に沿って掛けられる。すなわち、この掛け式のコンパクト仏壇２２ｂを本発明の実施例１の遺品収納ケース１１に適用するにあたっては、遺品収納ケースの背面板１４の上部の壁面に、図示省略の壁掛け具により掛けることになる。従って、掛け式のコンパクト仏壇２２ｂを使用する場合には、仏壇設置部１８は必要なくなる。
【００３０】
図４は、図１に示した遺品収納ケース１１の前面板１６及び上面板１５の着脱の説明図であり、図４（ａ）は遺品収納ケース１１の平面図、図４（ｂ）は前面板１６を取り外した状態での遺品収納ケース１１の正面図である。図１と同一要素には同一符号を付し重複する説明は省略する。
【００３１】
図４（ａ）において、前面板１６の側面部には突起部２６ａ、２６ｂが設けられており、左右側面板１３ａ、１３ｂにはその突起部２６ａ、２６ｂを上下方向に案内するスライド機構部２７ａ、２７ｂが設けられている。スライド機構部２７ａ、２７ｂは前面板１６の突起部２６ａ、２６ｂが挿入される溝部として形成されており、前面板１６を着脱可能に上下方向に案内する。
【００３２】
図４（ｂ）において、左右側面板１３ａ、１３ｂの上部には上面板１５を搭載するための搭載部２８ａ、２８ｂが設けられており、この搭載部２８ａ、２８ｂに上面板１５を搭載することにより上面板１５は設置される。上面板１５は左右側面板１３ａ、１３ｂの搭載部２８ａ、２８ｂに搭載されているだけであるので、上面板１５を着脱は容易に行える。
【００３３】
図５は、底面板１２に搭載される遺品を整列して配列させるための配列補助部材の説明図である。図５（ａ）は配列補助部材としての三角台２９の斜視図であり、図５（ｂ）は三角台２９との間に配置される調整台３０の斜視図である。
【００３４】
図５（ｃ）は三角台２９を底面板１２に設置した一例の説明図であり、小さい三角台２９ａを前面板１６側に配置し、徐々に大きな三角台２９ｂ、２９ｃを背面板１４側に配置する。そして、三角台２９ａ、２９ｂ、２９ｃの斜面に遺品を配列する。このようにすることにより、前面板１６側に小さな遺品を配列し背面板１４側に大きな遺品を配列できるので、全体として遺品を見やすく配置できる。図５（ｄ）は三角台２９及び調整台３０を底面板１２に設置した一例の説明図であり、小さい三角台２９ａを前面板１６側に配置し、徐々に大きな三角台２９ｂ、２９ｃを背面板１４側に配置すると共に、三角台２９ａ、２９ｂ、２９ｃの間に調整台３０を配置する。そして、三角台２９ａ、２９ｂ、２９ｃの斜面及び調整台３０に遺品を配列する。このようにすることにより、三角台２９ａ、２９ｂ、２９ｃの斜面だけでなく調整台３０にも配置することになるので、奥行きの長い遺品であっても適切に配列できる。調整台３０は遺品の大きさや数により適宜配置することになる。
【００３５】
図５（ｅ）はアーチ状の斜面を持つ三角台２９’の斜視図であり、このようなアーチ状の三角台２９’とすることにより、遺品収納ケース１１の前面板１６に正対したとき扇状に拡がりを持たせた遺品の配置とすることができる。この場合、アーチ状の三角台２９’に対応させて調整台３０’についても、図５（ｆ）に示すようにアーチ状とすることは言うまでもない。
【００３６】
図６は、図１に示した遺品収納ケース１１の前面板１６を半開にした場合の斜視図である。図４（ａ）で示したように、前面板１６は側面板１３ａ、１３ｂのスライド機構部により上下方向にスライド可能となっており、遺品収納ケース１１に遺品を収納した後に懐かしの遺品を取り出したり、また再度収納したりする際に、前面板１６を上下方向に開く。また、遺品の配列替え等を行う際にも、前面板１６を上下方向に開くことにより行う。すなわち、上面板１５も着脱可能となっているが、通常の使用状態では上面板１５にはコンパクト仏壇２２やお供え等が搭載されるので、その状態を保持したまま遺品の出し入れを行うために、前面板１６を上下方向に開くことができるようにしている。
【００３７】
図７は、図１に示した遺品収納ケース１１の前面板１６を上下に２分割した場合の斜視図であり、図７（ａ）は２分割された前面板１６のうち上段の前面板１６ａに位牌プレート設置部１７を設けたものであり、図７（ｂ）は２分割された前面板１６のうち下段の前面板１６ｂに位牌プレート設置部１７を設けたものである。
【００３８】
この場合においても、図６に示した場合と同様に、遺品収納ケース１１に遺品を収納した後に懐かしの遺品を取り出したり、また再度収納したりする際に、２分割された上段の前面板１６ａを上下方向に開き、それで間に合う場合には下段の前面板１６ｂはそのままの状態を保っておく。また、例えば、出し入れする遺品が大きくて２分割された上段の前面板１６ａの開きだけでは間に合わない場合には、下段の前面板１６ｂも開く。
【００３９】
前面板１６が２分割されていることから、上段の前面板１６ａの開口部は上半分となるので、１枚の前面板１６の場合に比べて同じ距離だけ前面板１６を開いたときには開口部が上部に位置することになり、取りやすい位置が開口することになる。
【００４０】
また、位牌プレート設置部１７は上段の前面板１６ａ又は下段の前面板１６ｂのいずれに設けてもよいが、前面板１６を開く場合には必ず上段の前面板１６ａが先に開くことになるので、位牌プレート設置部１７が開閉操作の邪魔にならないようにするためには、下段の前面板１６ｂに位牌プレート設置部１７を設けた方がよい。一方、遺品収納ケース１１に正対したときの位牌プレート１９の見やすさを優先する場合には、遺品収納ケース１１の設置位置の高さにより、遺品収納ケース１１に正対したときの目線の高さを考慮に入れて、上段の前面板１６ａに位牌プレート１９を設けることになる。
【００４１】
図８は、図１に示した遺品収納ケース１１の底面板１２の下部に、前後に出し入れ可能なスライド板３１を設けたものである。このスライド板３１には、礼拝をする際に使用する仏具やその他礼拝に必要なものが搭載される。例えば、ろうそく立て、香炉、たたきがね、花瓶、マッチ、線香等が搭載され、礼拝が済んだ後は、仏具やその他のものは別の場所に片付けられスライド板３１も底面板１２の下部に収納される。
【００４２】
図９は、図８に示した遺品収納ケース１１のスライド板３１の下部に、前後に出し入れ可能な引き出し３２を設けたものである。この引き出し３２には、例えば仏具や礼拝に必要なその他のものが収納される。そして、礼拝をする際に使用する仏具や礼拝に必要なものを引き出し３２から取り出し、スライド板３１を引き出してスライド板３１に搭載する。礼拝が済んだ後は、それらのものは引き出し３２に片付けられスライド板３１も底面板１２の下部に収納される。
【００４３】
以上の説明では、引き出し３２はスライド板３１の下部に設けるようにしたが、底面板１２とスライド板３１との間に設けるようにしてもよい。すなわち、スライド板３１及び引き出し３２は底面板１２の下部に順序を入れ替えて設けるようにしてもよい。また、スライド板３１及び引き出し３２は一段の場合について示したが多段としてもよい。また、引き出し３２だけを設けるようにしてもよい。
【００４４】
図１０は、図１に示した遺品収納ケース１１の上面板１５を背面側方向が高くなるように階段状に形成したものであり、図１０では２段の上面板１５、すなわち、上段の上面板１５ａ及び下段の上面板１５ｂを備えたものを示している。上面板１５が２段の階段状に形成されたことに伴い、前面板１６も上段の前面板１６ａと下段の前面板６ｂとを備えている。図１と同一要素には同一符号を付し重複する説明は省略する。
【００４５】
図１０において、コンパクト仏壇を設置するための仏壇設置部１８は上段の上面板１５ａに設けられ、位牌プレートを装着するための位牌プレート設置部１７は上段の前面板１６ａに設けられている。位牌プレート設置部１７は下段の前面板６ｂに設けるようにしてもよい。このように上面板１５を多段に形成した場合には、最上段の上面板１５ａに仏壇設置部１８を設け、位牌プレート設置部１７は最上段から最下段のいずれかの前面板１５に設ける。そして、背面板１４側に大きな遺品を配列し手前側にいくに従って小さい遺品を配列する。また、底面板１２の下部にスライド部材３１又は引き出し３２を必要に応じて設けることになる。
【００４６】
図１１は、図１に示した遺品収納ケース１１の背面板１４近傍の上面板１５の両奥隅に仏具等を収納するための多段棚３３を設けたものである。この場合においても、必要に応じて底面板１２の下部にスライド部材３１や引き出し３２を設けるようにしてもよい。
【００４７】
本発明の実施例１によれば、遺品収納ケースの上面板１５及び前面板１６が透明部材で形成されているので、底面板１２に配列した遺品を見ることができ、何時でも故人を偲ぶことができる。また、上面板１５にコンパクト仏壇やお供え等を搭載することができ、前面部１６には位牌プレートを装着できるので仏壇としても使用できる。さらに、底面板１２の下部にスライド板３１を設けた場合には、仏具やお供えを搭載することができ、さらに引き出し３２や多段棚３３を設けた場合には仏具や礼拝に必要なものを収納することができる。従って、団地やマンション等の限られたスペース内で他の家具との調和を保ちつつ、故人の居場所を確保し、遺族と共に生活を共有していくことができる。
【実施例２】
【００４８】
図１２は本発明の実施例２に係わる遺品収納ケース１１の斜視図である。この実施例２は図１に示した実施例１の遺品収納ケース１１に対し、上面板１５及び前面板１６を省略して前面部及び上面部を開放すると共に、前面部及び上面部を区分する境界部の左右側面板間に棒状部材３４を設け、いわゆるスケルトン方式としたものである。図１と同一要素には同一符号を付し重複する説明は省略する。
【００４９】
上面板１５及び前面板１６を省略して前面部及び上面部を開放したことに伴い、前面部及び上面部を区分する境界部には骨格としての棒状部材３４が左右側面板間に設けられる。また、位牌プレート設置部１７は棒状部材３４に取り付けられ、仏壇設置部１８は背面板１４の取り付けられる。
【００５０】
図１２では、位牌プレート設置部１７として位牌プレートを掛けるための掛け具１７ａが棒状部材３４に取り付けられた場合を示している。すなわち、掛け式の位牌プレートが収納ケース本体の前面部に位置するように装着される。また、収納ケース本体の背面板１４には仏壇設置部１８が設けられているが、掛け式の仏壇を使用する場合には、仏壇設置部１８を設ける必要はない。なお、底面板１２に遺品を配列するにあたっては、図５に示した配列補助部材を使用して遺品を適切に配列することは言うまでもない。
【００５１】
図１３は、図１０に示した背面側方向が高くなるように階段状に形成された実施例１の遺品収納ケース１１に対し、上段の上面板１５ａ、下段の上面板１５ｂ及び上段の前面板１６ａ、下段の前面板１６ｂを省略して、前面部及び上面部を開放すると共に、前面部及び上面部を区分する境界部の左右側面板間に棒状部材３４ａ、３４ｂを設け、いわゆるスケルトン方式としたものである。図１０と同一要素には同一符号を付し重複する説明は省略する。
【００５２】
前面部及び上面部を開放したことに伴い、前面部及び上面部を区分する境界部には棒状部材３４ａ、３４ｂが骨格として左右側面板間に設けられる。また、位牌プレート設置部１７は上段の棒状部材３４ａに取り付けられ、仏壇設置部１８は背面板１４の取り付けられる。図１２では、位牌プレート設置部１７として位牌プレートを掛けるための掛け具１７ａが棒状部材３４ａに取り付けられた場合を示している。位牌プレート設置部１７である掛け具１７ａは下段の棒状部材３４ｂに設けるようにしてもよい。位牌プレート設置部１７である掛け具１７ａには、掛け式の位牌プレートが収納ケース本体の前面部に位置するように装着される。
【００５３】
また、収納ケース本体の背面板１４には仏壇設置部１８が設けられているが、掛け式の仏壇を使用する場合には、仏壇設置部１８を設ける必要はない。なお、底面板１２に遺品を配列するにあたっては、図５に示した配列補助部材を使用して遺品を適切に配列することは言うまでもない。
【００５４】
図１４は、図１１に示した多段棚３３を有した実施例１の遺品収納ケース１１に対し、上面板１５及び前面板１６を省略して前面部及び上面部を開放すると共に、前面部及び上面部を区分する境界部の左右側面板間に棒状部材３４を設け、いわゆるスケルトン方式としたものである。図１１と同一要素には同一符号を付し重複する説明は省略する。
【００５５】
上面板１５及び前面板１６を省略して前面部及び上面部を開放したことに伴い、前面部及び上面部を区分する境界部に骨格としての棒状部材３４が左右側面板間に設けられる。また、位牌プレート設置部１７は棒状部材３４に取り付けられ、仏壇設置部１８は背面板１４に取り付けられる。図１４では、位牌プレート設置部１７として位牌プレートを掛けるための掛け具１７ａが棒状部材３４に取り付けられた場合を示している。また、収納ケース本体の背面板１４には仏壇設置部１８が設けられているが、掛け式の仏壇を使用する場合には、仏壇設置部１８を設ける必要はない。なお、底面板１２に遺品を配列するにあたっては、図５に示した配列補助部材を使用して遺品を適切に配列することは言うまでもない。
【００５６】
以上の説明では、前面部及び上面部を開放したスケルトン方式の場合について説明したが、左右側面板１３ａ、１３ｂを省略して前面部及び上面部と側面部とを区分する境界部に棒状部材３４を設けるようにしてもよい。さらに、背面板１４も省略してもよい。いずれの場合においても棒状部材で収納ケースの骨格を形成することになる。また、図１２、図１３、図１４に示した実施例２の遺品収納ケース１１においても、底面板１２の下部にスライド部材３１又は引き出し３２を必要に応じて設けてもよいことは言うまでもない。
【００５７】
本発明の実施例２によれば、上面板１５及び前面板１６を省略して前面部及び上面部を開放し、いわゆるスケルトン方式としているので、実施例１の効果に加え、底面板１２への遺品の配列は上面部及び前面部から自由に行うことができる。
【００５８】
以上の説明では、収納ケース本体は直方体の形状のものを示したが、角部に丸みをつけても良いし、背面部に丸みをつけるようにしても良い。
【図面の簡単な説明】
【００５９】
【図１】本発明の実施例１に係わる遺品収納ケースの斜視図。
【図２】本発明の実施例１の遺品収納ケースに装着される位牌プレートの一例を示す斜視図。
【図３】本発明の実施例１の遺品収納ケースに適用されるコンパクト仏壇の一例を示す斜視図。
【図４】図１に示した遺品収納ケースの前面板及び上面板の着脱の説明図。
【図５】本発明の実施例１における底面板に搭載される遺品を整列して配列させるための配列補助部材の説明図。
【図６】図１に示した遺品収納ケースの前面板を半開にした場合の斜視図。
【図７】図１に示した遺品収納ケースの前面板を上下に２分割した場合の斜視図。
【図８】図１に示した遺品収納ケースの底面板の下部に前後に出し入れ可能なスライド板を設けた場合の斜視図。
【図９】図８に示した遺品収納ケースのスライド板の下部に前後に出し入れ可能な引き出しを設けた場合の斜視図。
【図１０】図１に示した遺品収納ケースの上面板を背面側方向が高くなるように階段状に形成した場合の斜視図。
【図１１】図１に示した遺品収納ケースの背面板近傍の上面板の両奥隅に仏具等を収納するための多段棚を設けた場合の斜視図。
【図１２】本発明の実施例２に係わる遺品収納ケースの斜視図。
【図１３】本発明の実施例２に係わる遺品収納ケースの平面部を多段に形成した場合の斜視図。
【図１４】本発明の実施例２に係わる遺品収納ケースの背面板近傍の上面部の両奥隅に多段棚を備えた場合の斜視図。
【符号の説明】
【００６０】
１１…遺品収納ケース、１２…底面板、１３…側面板、１４…背面板、１５…上面板、１６…前面板、１７…位牌プレート設置部、１８…仏壇設置部、１９…位牌プレート、２０…プレート部、２１…鎖部、２２…コンパクト仏壇、２３…写真立て部、２４…平板部、２５…台座部、２６…突起部、２７…スライド機構部、２８…搭載部、２９…三角台、３０…調整台、３１…スライド板、３２…引き出し、３３…多段棚、３４…棒状部材
【図１】
2005080797.tif 000003
【図２】
2005080797.tif 000004
【図３】
2005080797.tif 000005
【図４】
2005080797.tif 000006
【図５】
2005080797.tif 000007
【図６】
2005080797.tif 000008
【図７】
2005080797.tif 000009
【図８】
2005080797.tif 000010
【図９】
2005080797.tif 000011
【図１０】
2005080797.tif 000012
【図１１】
2005080797.tif 000013
【図１２】
2005080797.tif 000014
【図１３】
2005080797.tif 000015
【図１４】
2005080797.tif 000016